(57)【特許請求の範囲】
【請求項１】
所定の幅を有する帯状のループ屋根形成部と該ループ屋根形成部の両端に逆ハ字状に対向して連接されたそれぞれ略長方形状の底面板形成部とからなるループ屋根型装飾材ブランク板と、横長の長方形状の支持台ブランク板とからなり、前記底面板形成部にそれぞれ包装鏡餅固定用切込溝と支持台係止用切込溝を備えた前記ループ屋根型装飾材ブランク板の前記ループ屋根形成部を断面円形状に折り曲げ前記両端の底面板形成部のそれぞれ側端部を平行に所定幅で重ね合わせた接着部で接着することにより底面板を形成すると共に上部がループ屋根状に成型されたループ屋根型装飾材と、上端に筒状に成型した際に対向する位置にそれぞれ係止用突出片を備えた前記支持台ブランク板から筒状に成型された支持台とを、前記ループ屋根型装飾材の前記底面板の前記支持台係止用切込溝に前記支持台の前記係止用突出片を差し込んで前記ループ屋根型装飾材と前記支持台とを固定した構成からなり、前記ループ屋根型装飾材の前記底面板の前記包装鏡餅固定用切込溝に、鏡餅の形状に熱成形して形成された収納部に鏡餅を収納し、該鏡餅の直径より大きな一辺を有する正方形状の蓋材で密封されるブリスター容器からなる包装鏡餅の前記蓋材の角部を差し込んで前記包装鏡餅を固定できるようにしたことを特徴とする包装鏡餅用飾り台。
【請求項２】
前記包装鏡餅の収納部側の蓋材部面を覆うように中央部に円形の穴が形成された正方形状の包装鏡餅蓋材部被覆板を前記包装鏡餅の収納部側から被せて取り付けられている構成からなることを特徴とする請求項１記載の包装鏡餅用飾り台。
【請求項３】
前記ループ屋根型装飾材と前記支持台と前記包装鏡餅蓋材部被覆板が金着色アルミニウム箔と板紙との積層体にて構成されていることを特徴とする請求項１または２のいずれかに記載の包装鏡餅用飾り台。
【発明の詳細な説明】
【技術分野】
【０００１】
本発明は、包装鏡餅を固定させて取り付けた状態での取扱易さ及び取扱時の安定性に優れるとともに飾り鏡餅としての意匠性にも優れた、消費者が組み立てる必要のない組み立てが完了した包装鏡餅用飾り台に関する。
【背景技術】
【０００２】
従来、消費者が鏡餅セットを組み立てて飾り台付き鏡餅を作るのではなく、組み立てが完了した飾り台付き鏡餅としては、鏡餅形容器内に餅を収納した飾り鏡餅を三方の上部台上に載せ、この三方に載せた飾り鏡餅をほぼこの大きさに合致した包装箱内に収容した構成とし、この包装箱の上下高さ方向のほぼ中間部位置に三方の上部台周縁部が当接若しくは近接配置するように設定した飾り鏡餅入り包装箱（例えば、特許文献１参照）、ないしは、上下二段に立体成形された鏡餅本体及び鏡餅本体を載置する台、及び鏡餅本体又は台と一体をなす装飾用品を、一部又は全てを透明としている容器内に収納し、容器によって台の下方、及び周囲を支持し、鏡餅本体を容器又は容器内に設けた用具によって上方から支持するようにした装飾用鏡餅（例えば、特許文献２参照）等が知られている。
【特許文献１】特開２００１−２７８２５６号公報
【特許文献２】特開平１１−２３５２６７号公報
【０００３】
しかしながら、前者の飾り鏡餅入り包装箱は、飾り鏡餅を三方の上部台上に載置した状態で透明材で閉塞した窓部を設けた包装箱内に収容した構成であり、後者の装飾用鏡餅は、鏡餅本体を台上に載置して、一部又は全てを透明としている容器内に収容し、容器により台の下方及び周囲を支持するようにした構成であり、鏡餅を窓部を設けた包装箱ないしは容器内に収容した状態で、外部から鑑賞するようにしたものであるため、包装箱内ないしは容器内に収容された状態では移動自在に配置でき安全な状態を維持できるが、鏡餅を包装箱内ないしは容器から取り出した際には、鏡餅と台が固定されていないため、取扱中に鏡餅が台からずり落ちるおそれがあるという欠点がある。また、鏡餅に装飾品を取り付けないと意匠性が良くないという欠点を有している。
【発明の開示】
【発明が解決しようとする課題】
【０００４】
本発明の目的は、包装鏡餅をループ屋根型装飾材に固定させて取り付けた状態で安定性が良いため崩れたりせずに取扱うことができ、且つ飾り鏡餅としての意匠性に優れた、消費者が飾り台を組み立てて包装鏡餅を飾り台に取り付ける手間を省くことができる、組み立てが完了した包装鏡餅用飾り台を提供することである。
【課題を解決するための手段】
【０００５】
所定の幅を有する帯状のループ屋根形成部と該ループ屋根形成部の両端に逆ハ字状に対向して連接されたそれぞれ略長方形状の底面板形成部とからなるループ屋根型装飾材ブランク板と、横長の長方形状の支持台ブランク板とからなり、前記底面板形成部にそれぞれ包装鏡餅固定用切込溝と支持台係止用切込溝を備えた前記ループ屋根型装飾材ブランク板の前記ループ屋根形成部を断面円形状に折り曲げ前記両端の底面板形成部のそれぞれ側端部を平行に所定幅で重ね合わせた接着部で接着することにより底面板を形成すると共に上部がループ屋根状に成型されたループ屋根型装飾材と、上端に筒状に成型した際に対向する位置にそれぞれ係止用突出片を備えた前記支持台ブランク板から筒状に成型された支持台とからなる包装鏡餅用飾り台である。
【０００６】
また、前記ループ屋根型装飾材の前記底面板の前記支持台係止用切込溝に前記支持台の前記係止用突出片を差し込んで前記ループ屋根型装飾材と前記支持台とを固定した構成からなり、前記ループ屋根型装飾材の前記底面板の前記包装鏡餅固定用切込溝に、鏡餅の形状に熱成形して形成された収納部に鏡餅を収納し、該鏡餅の直径より大きな一辺を有する正方形状の蓋材で密封されるブリスター容器からなる包装鏡餅の前記蓋材の角部を差し込んで前記包装鏡餅を固定できるようにした包装鏡餅用飾り台である。
【０００７】
前記包装鏡餅の収納部側の蓋材部面を覆うように中央部に円形の穴が形成された正方形状の包装鏡餅蓋材部被覆板を前記包装鏡餅の収納部側から被せて取り付けられている構成の包装鏡餅用飾り台である。
【０００８】
前記ループ屋根型装飾材と前記支持台と前記包装鏡餅蓋材部被覆板が金着色アルミニウム箔と板紙との積層体にて構成されている包装鏡餅用飾り台である。
【発明の効果】
【０００９】
本発明の構成とすることにより、支持台上にループ屋根型装飾材を固定させて取り付けることにより簡単に意匠性の優れた包装鏡餅用飾り台を作製することができるとともに、ループ屋根型装飾材の底面板に包装鏡餅を安定した状態で固定させて取り付けることができるので、包装鏡餅用飾り台に包装鏡餅を取り付けた飾り台付き包装鏡餅を移動させたりする取扱中に飾り台付き包装鏡餅の形状が崩れることがない。
【００１０】
請求項２にかかる発明では、ループ屋根型装飾材ブランク板を円形状に折り曲げて１箇所を接着するだけで簡単にループ屋根型装飾材を作製することができる。
【００１１】
請求項３にかかる発明では、包装鏡餅の蓋材部を包装鏡餅蓋材部被覆板にて被覆することにより、包装鏡餅の蓋材部の意匠性が良くなるとともに、安定した状態で包装鏡餅を包装鏡餅用飾り台に固定することができる。
【００１２】
請求項４にかかる発明では、表面を光沢の優れた金色とすることができるので、より豪華な意匠性に優れた包装鏡餅用飾り台とすることができる。
【発明を実施するための最良の形態】
【００１３】
以下、図面を引用して本発明の実施の形態を説明する。
図１は本発明の包装鏡餅用飾り台の実施形態を示す斜視図、図２は実施形態のループ屋根型装飾材を示す（イ）はブランク板の平面図で（ロ）は組み立てた状態の斜視図、図３は実施形態の支持台を示す（イ）はブランク板の平面図で（ロ）は組み立てた状態の斜視図、図４は実施形態の包装鏡餅蓋材部被覆板の平面図、図５は包装鏡餅の斜視図、図６は実施形態の包装鏡餅用飾り台に包装鏡餅を取り付けた状態の斜視図であって、１は包装鏡餅、11は蓋材、12は収納部、２はループ屋根型装飾材、2'はループ屋根型装飾材ブランク板、21はループ屋根形成部、22は底面板、22a, 22bは底面板形成部、23は接着部、24a, 24b, 24c, 24dは包装鏡餅固定用切込溝、25a, 25bは支持台係止用切込溝、３は支持台、3'は支持台ブランク板、31は係止用突出片、32は係止用差込片、33は係止用切込溝、４は包装鏡餅蓋材部被覆板をそれぞれ表す。
【００１４】
本発明の包装鏡餅用飾り台の実施形態は、図１に示すとおりであって、図３（ロ）に示す支持台３の上端の２か所に形成された係止用突出片31を、図２（ロ）に示すループ屋根型装飾材２の底面板22の支持台係止用切込溝25a, 25bに嵌合係止させて取り付けた構成である。実施形態の包装鏡餅用飾り台のループ屋根型装飾材２の底面板22の上に図５に示す包装鏡餅１を載置して蓋材11の４か所の角部を底面板22に形成された包装鏡餅固定用切込溝24a, 24b, 24c, 24dに差し込んで包装鏡餅１を固定し飾り台付き包装鏡餅とされる。
【００１５】
実施形態のループ屋根型装飾材２は、図２（ロ）に示すとおりであって、図２（イ）に示すループ屋根型装飾材ブランク板2'を組み立てて作製されるものである。ループ屋根型装飾材ブランク板2'は、図２（イ）に示すように、所定幅を有する帯状のループ屋根形成部21の両端に長方形状の底面板形成部22a 及び底面板形成部22b がそれぞれ斜め方向に連接され、底面板形成部22a には２か所の包装鏡餅固定用切込溝24a, 24bと１か所の支持台係止用切込溝25a が形成され、底面板形成部22b には２か所の包装鏡餅固定用切込溝24c, 24dと１か所の支持台係止用切込溝25b が形成された形状である。このループ屋根型装飾材ブランク板2'のループ屋根形成部21を円形状に折り曲げて底面板形成部22a 及び底面板形成部22b の端縁を平行に所定幅だけ重ね合わせて接着部23にて接着することにより、図２（ロ）に示すループ屋根型装飾材２が作製される。
【００１６】
ループ屋根型装飾材２は、ループ屋根形成部２１を折り曲げて断面円形状に成型されたループ屋根と、底面板形成部２２ａ及び底面板形成部２２ｂにより構成される略平坦な底面板２２を有している。底面板２２は中央部にて底面板形成部２２ａ及び底面板形成部２２ｂの側端部を所定幅だけ平行方向に重ね合わせた接着部２３にて接着することにより形成されており、底面板２２の底面板２２ａにより構成された部分には２か所の包装鏡餅固定用切込溝２４ａ、２４ｂと１か所の支持台係止用切込溝２５ａが形成され、底面板２２の底面板形成部２２ｂにより構成された部分には２か所の包装鏡餅固定用切込溝２４ｃ、２４ｄと１か所の支持台係止用切込溝２５ｂが形成されている。
【００１７】
実施形態にて使用する支持台３は、図３（ロ）に示すとおりであって、図３（イ）に示す支持台ブランク板３’を組み立てて作製されるものである。支持台ブランク板３’は、図３（イ）に示すように、横長の長方形状であって、上端に筒状に成型した際に対向する位置にくるように２か所の係止用突出片３１が形成され、一方の側端には側端から突出するように２か所の係止用差込片３２が形成され、他方の側端部には側端より所定距離だけ内側の位置に２か所の係止用切込溝３３が形成された形状である。この支持台ブランク板３’を筒状に折り曲げて２か所の係止用差込片３２を対応する２か所の係止用切込溝３３に嵌合係止することにより、図３（ロ）に示す支持台３が作製される。なお、支持台ブランク板は、上記の実施形態の形状とするのではなく、両側端部に形成される係止用差込片及び対応する２か所の係止用切込溝をなくした形状として、両側端部を所定幅だけ重ね合わせて接着した構成としてもよい。
【００１８】
図２（ロ）に示す組み立てられたループ屋根型装飾材２の底面板22の支持台係止用切込溝25a と支持台係止用切込溝5bに、図３（ロ）に示す組み立てられた支持台３の２箇所の係止用突出片31を差し込んでループ屋根型装飾材２と支持台３を嵌合係止することにより、図１に示す本発明の実施形態の包装鏡餅用飾り台が作製される。
【００１９】
図５に示す、収納部１２に鏡餅が収納され開口部に正方形状の蓋材１１が取り付けられて密封された包装鏡餅１の蓋材１１の収納部１２側の面に、図４に示す、中央部に穴が形成された正方形状の包装鏡餅蓋材部被覆板４を中央部の穴から収納部１２が突出するように重ね合わせた状態で、蓋材１１の４か所の角部を、図１に示す包装鏡餅飾り台の底面板２２の４か所の包装鏡餅固定用切込溝２４ａ、２４ｂ、２４ｃ、２４ｄに差し込んで、包装鏡餅１を包装鏡餅用飾り台の底面板２２の上面に嵌合固定することにより飾り台付き包装鏡餅が完成する。包装鏡餅１を包装鏡餅用飾り台に取り付けた状態では、包装鏡餅１が包装鏡餅用飾り台の底面板２２に強固に固定されるため、移動中に包装鏡餅用飾り台に取り付けられた包装鏡餅がずれ落ちることがないので、飾り台付き包装鏡餅の取扱がきわめて容易となる。また、意匠性においても優れたものであり、ループ屋根型装飾材、支持台、包装鏡餅蓋材部被覆板を金色に着色した素材にて作製することにより、更に意匠性の優れた豪華な飾り台付き包装鏡餅とすることができる。
【００２０】
包装鏡餅１は、プラスチックフィルムを鏡餅の形状に熱成型して形成された収納部12に鏡餅を収納して、プラスチックフィルムからなる蓋材11を熱接着により取り付けて密封した構成であり、蓋材11は鏡餅の直径より大きい辺を有する正方形状とされている。
【００２１】
包装鏡餅用飾り台を構成するループ屋根型装飾材２及び支持台３は、板紙単体ないしはアルミニウム箔と板紙の積層体により作製されるが、本発明のように金色に着色したアルミニウム箔と板紙の積層体によりループ屋根型装飾材２、支持台３及び包装鏡餅蓋材部被覆板４を作製することにより、より意匠性の優れたものとすることができる。板紙としては、マニラボール、白ボール等が使用され、板紙の厚さとしてはある程度の剛性が得られるように比較的厚い３００〜５００ｇ／ｍ2 のものを使用するのが適当である。
【００２２】
包装鏡餅を作製するためのプラスチックフィルムは、容器材としては、未延伸ポリプロピレン（ＣＰＰ）／エチレン−ビニルアルコール共重合体（ＥＶＯＨ）／ＣＰＰ、ＣＰＰ／ＥＶＯＨ／線状低密度ポリエチレン（ＬＬＤＰＥ）、非晶質ポリエステル（Ａ−ＰＥＴ）／ＥＶＯＨ／ＣＰＰ、Ａ−ＰＥＴ／ＥＶＯＨ／ＬＬＤＰＥ等の構成のものが使用され、蓋材としては、ＣＰＰ／ＥＶＯＨ／ＣＰＰ、ＣＰＰ／ＥＶＯＨ／ＬＬＤＰＥ、２軸延伸  ポリエチレンテレフタレート（ＰＥＴ）／ＥＶＯＨ／ＣＰＰ、ＰＥＴ／ＥＶＯＨ／ＬＬＤＰＥ、蒸着２軸延伸ポリエチレンテレフタレート（ＶＭＰＥＴ）／ＬＬＤＰＥ、ＶＭＰＥＴ／ＣＰＰ等の構成のものが使用される。
【図面の簡単な説明】
【００２３】
【図１】本発明の包装鏡餅用飾り台の実施形態を示す斜視図。
【図２】実施形態のループ屋根型装飾材を示す（イ）はブランク板の平面図で（ロ）は組み立てた状態の斜視図。
【図３】実施形態の支持台を示す（イ）はブランク板の平面図で（ロ）は組み立てた状態の斜視図。
【図４】実施形態の包装鏡餅蓋材部被覆板の平面図。
【図５】包装鏡餅の斜視図。
【図６】実施形態の包装鏡餅用飾り台に包装鏡餅を取り付けた状態の斜視図。
【符号の説明】
【００２４】
１  包装鏡餅
11  蓋材
12  収納部
２  ループ屋根型装飾材                                                          2'  ループ屋根型装飾材ブランク板
21  ループ屋根形成部
22  底面板
22a, 22b  底面板形成部
23  接着部
24a, 24b, 24c, 24d  包装鏡餅固定用切込溝
25a, 25b  支持台係止用切込溝
３  支持台
3'  支持台ブランク板
31  係止用突出片
32  係止用差込片
33  係止用切込溝
４  包装鏡餅蓋材部被覆板
【図１】
0004614312.tif 000002
【図２】
0004614312.tif 000003
【図３】
0004614312.tif 000004
【図４】
0004614312.tif 000005
【図５】
0004614312.tif 000006
【図６】
0004614312.tif 000007